(57)【要約】【課題】誰でも登録できる従来のインターネット会員サービスの、新規登録手段、評価手段、スカウト機能、ゲームのシステムなどに、第三者の評価フィルターを用いる事により希少性やステータス性などを持たせること。【解決手段】本発明によるサービス提供システムは、新規に会員登録する者がいる場合、第三者の評価を通して会員を審査する選抜登録システムと。インターネットでサービス提供サーバーを通して第三者を利用した評価や対決、トーナメントシステム。インターネット上のスカウトスポットビジネスシステム。等、第三者の評価を通してインターネット上に審査に合格した限られた者のみが集まるＳＮＳのようなサイトの構築など。【選択図】図２
2013149227.tif 000002
【特許請求の範囲】
【請求項１】
登録した会員に対して、ネットワーク上で会員制サービスを提供するサービス提供システムであって、新規会員登録の際に提出した画像や文章データを、重複が無いかチェックし、評価サイトの第三者に公開し（公開範囲は各自設定できる）、第三者による審査システムによる評価というフィルターを通した結果で登録か登録不可かが決まる、選抜オーディション式会員登録手段。および、登録後の会員のスカウト希望者に対して、スカウト登録企業、求人登録企業、またはスカウト希望個人が、オーディションを開催したり、求人を広告したり、スカウトしたりコンテストを開催したり出来るＳＮＳ上のスカウトスポット。
【請求項２】
新規会員登録の際には、自分が会員登録したいジャンル、テーマを設定し、それにまつわる画像や文章や音声などのデータを提出し、それを第三者の評価の結果によって登録成立か不成立が決まるオーディション型会員登録システム。また本発明システムを特徴とするＳＮＳサイトサービス。
【請求項３】
本発明に登録された会員の中から、スカウトやオーディションを受けることを希望する登録者に対して、スカウト登録申請で許可を取得した企業や個人が会員をスカウトしたり、通常会員登録者の参加を募ったオーディションや、コンテスト、広告を掲示したりすることが出来るインターネット上のスカウトスポットを提供するシステム。
【請求項４】
第三者の評価システムにより個人の能力を画像や文章や音データの範囲で提出し、多数の第三者の評価を得る事（調査利用も可）が出来る会員制インターネットサイトを提供するシステム。個人の能力を画像や文章や音楽の範囲で提出し、他の登録会員の提出資料とどちらが優れているか対決できるサービスを提供するシステム（グループ対決も可能）。応募参加型で会員同士が、トーナメントで自分の提出資料でトーナメント対決できるシステムを提供するシステム。応募参加型で会員同士が勝ち点方式で自分の提出資料で対決できるシステムを提供するシステム。
【発明の詳細な説明】
【技術分野】
【０００１】      本発明は、登録会員システム、ＳＮＳに新たな価値や希少性を創造できる。携帯電話やパソコンなどの末端でインターネットを利用し、登録時にオーディションなどのフィルターをかけたＳＮＳサイト、そのフィルターを通過できた登録会員に提供する他人からの評価、オーディション、スカウトサービスに関する。
【背景技術】
【０００２】      従来のＳＮＳサイトには、誰でも登録可能なＳＮＳサイトや、招待制会員サービス（例えば、特許文献１参照）などの招待が無いと、会員登録できないサービスがある。【０００３】従来、ソーシャル・ネットワーキング・サービス（以下「ＳＮＳ」という。）と呼ばれる、人と人とのつながりを促進・サポートするコミュニティ型の会員制サービスが知られている。ＳＮＳでは、自分のプロフィールや写真を会員に公開する機能や、会員や友人のみに公開範囲を制限できる日記機能、趣味や地域などテーマを決めて掲示板などで交流できるコミュニティ機能等のサービスがインターネット上で利用できるようになっている。【０００４】特許文献２なども、登録は誰でも出来る為、希少性やステータス性、秘密性が無かった。
【先行技術文献】
【特許文献】
【０００５】
【特許文献１】特開２００９−２４２９８９号  公報
【特許文献２】特開２００３−１１４９５５号公報
【非特許文献】
【０００６】
【非特許文献１】「ソーシャル・ネットワーキング  サービス［ｍｉｘｉ（ミクシィ）］、［フェイスブック］、［平成２４年１月１３日検索］、インターネット＜ＵＲＬ：ｈｔｔｐ／／ｍｉｘｉ．ｊｐ／＞
【非特許文献２】
【発明の概要】
【発明が解決しようとする課題】
【０００７】以上に述べた従来のＳＮＳサイトでは、一般のユーザーが誰でも登録できる為、クオリティの高い人（動物やキャラクターなどの場合もあり）を登録の段階で選抜することが出来なかった。【０００８】従来のＳＮＳで行われている評価やシステムは、掲示板などでの評価はあったが個人同士の対決や評価はあまり行われず、第三者評価者のジャンル設定（例えば：全人類、美少女ジャンル、女子高生ジャンル、イケメンジャンル、社長ジャンル）や対決方式（例えば：トーナメント方式、総当たり方式、）投票期間（例えば、１５秒や、１日、もしくは、評価者が１００人に達するまで）などの細かい設定が出来ず個人で実施するのは難しかった。【０００９】誰でも登録できるＳＮＳサイトでは、個人の情報を発信して共有するという面に重点が置かれていた。そのため、交流や情報交換、掲示板が主になっていた。登録者の中から参加者を募ったネット上のスカウトスポットやオーディションや個人対決や選抜選挙のような第三者からの評価による選抜はあまり行われてこなかった。【００１０】誰でも登録できる為、価値観の合わない不要な出会いやつながりを要求するメールなどが届き、不快な思いをすることがあった。【００１１】誰でも登録できる為、そのサイトに登録している、登録できたというステータスは生まれなかった、登録の際に第三者からの評価を得て登録することにより、そこに登録する際のステータスやゲーム性を追加する事を課題とする。
【課題を解決するための手段】
【００１２】登録の際に、別記評価サイトにて、画像や文章などの登録資料を第三者に評価してもらい、例えば『過半数以上の賛成』が得られた場合に登録することができる（オーディションを行う）。結果、質の高いユーザーのみが登録できるＳＮＳサービスを提供することが出来、ＳＮＳサイトに新たな付加価値の創造ができる。【００１３】評価者のジャンル設定（例えば：全人類、美少女ジャンル、女子高生ジャンル、イケメンジャンル、社長ジャンル）や対決方式（例えば：トーナメント方式、総当たり方式、）や投票期間（例えば、１５秒や、一分、１日、もしくは、評価者が１００人に達するまで）などの細かい設定が出来る様にし。個人での企画大会、個人同士のスキル対決などの活発化、対決期間の短縮化をはかる。各種ネットゲームの対戦方法としても使用可能。【００１４】登録の際に、ジャンルを設定し（例えば：画像、美少女、イケメン、頭脳、料理、グラフィック、センス、ペット、面白話、面白画像、面白ワード、語学、エグゼクティブなど、その他多方面のジャンルの確立が期待できる）さらに第三者から評価をへて登録できる。登録できた同じジャンルのクオリティの高い、自分と近い感覚の人々と、交流、対決、選抜トーナメントなどでお互いの能力を知り、高め合う事が出来る。【００１５】登録の際の審査資料を色々なジャンルに設定できる為、そのジャンルのスペシャリストが集まる空間をネット上に構築でき、そこでの交流や対決により、さらに高次元のものが生まれる。そして、個人や、企業がそのスペシャリスト達のトレンドや意識を調査することが出来る場を提供できる。【００１６】ジャンルを設定し登録することで、同じスキル（美少女やお笑いなど）を持った人間の集まる空間がネット上に出来、そこをスカウトできる広場にする事で、登録者にとっては、スカウト待ちが出来、スキルが磨け、ネット上での選抜オーディションや大会に参加することが出来、実績を積むこともできる。スカウト登録して頂いた企業にとっては、優秀な人材を高効率で探すことが出来る。【００１７】同ジャンル同士の交流は自由であるが、別ジャンルと交流する際は、課金やサイト内のポイントを使わないと交流が出来ない為、他人からの不要なメールなどを制限できるようになる。（例えば、美少女ジャンルにお金持ちジャンルの人がメールや友達申請するときは、課金。お笑いジャンルの人がその他ジャンルの人にメールや友達申請をする際は、お笑い対決で勝利したポイントを使うなど）
【発明の効果】
【００１８】このオーディション登録型ＳＮＳは登録している事自体がステータスという価値観を与え、登録する際にも挑戦するというゲーム性を与えることが出来る。【００１９】従来ＳＮＳは誰でも登録できる為、登録者は膨大な数になり、その中から優秀な人間、考え方の近い人間を捜すのは困難であった。しかし、本発明を使用する事により、各ジャンルで質の高い人が効率的に集まる為、企業の人材探しやスカウトの場、または、企業のスペシャリストに対する調査の場としての活用や、会員同士の効率の良いつながりを提供できる。
スキルをアピールして活躍していきたい会員が世の中に出て行くきっかけになる。【００２０】登録後も会員として、他の会員と力比べ出来、自分のそのジャンルでの実力がどの程度なのかを確かめ、挑戦できる。そして会員になれば新たに会員登録を申請してきた者を評価できる。【００２１】本発明のＳＮＳを利用することにより、個人の企業に対するアピールの場が作れる。【００２２】本発明を利用することにより、各ジャンルで高いレベルの会員が集まる場が出来るので、企業はそれを利用した高効率の調査や広告や募集が出来る。【００２３】各ジャンルで審査に合格し登録出来た者同士で、評価対決機能を使用してさらに個人対決や、トーナメントで頂点を決めることもでき。個人で評価が気になる画像や文字に対する評価（調査）も簡単に受けることが出来る。
【図面の簡単な説明】
【００２４】
【図１】サービス提供サーバー１０を含む情報処理システム１００の全体構成を示すブロック図である。
【図２】サービス提供サーバー１０による招待及び新規会員登録処理の流れを示すフローチャートである。
【図３】サービス提供サーバー１０による会員同士の第三者の審査システムによる対決の際のフローチャートである
【図４】サービス提供サーバー１０によるスカウトスポットサービスの全体のフローチャートである。
【図５】サービス提供サーバー１０の提供する、会員または企業の、第三者による審査サイトを利用した、調査や大会の全体のフローチャートである。
【図６】新規登録画面の流れの一例である。
【図７】会員同士の対決やトーナメントへの参加などの時に表示される画面の一例です。
【図８】第三者が会員を審査、評価する際の表示画面の一例である。
【図９】サービス提供サーバー１０の構成を示すブロック図である。
【発明を実施するための形態】
【００２５】以下、本発明の実施の形態について図面を参照しつつ詳細に説明する。なお、同一の要素には同一の符号を付し、重複する説明を省略する。
【００２６】本発明は、図１に示す様に、サービス提供サーバー１０、ユーザー末端装置２０、３０、携帯電話機３１が、ネットワークに接続可能に構成される。
【００２７】サービス提供サーバー１０は、会員登録した者にソーシャル・ネットワーキング・サービス（以下『ＳＮＳ』という）を提供する情報処理装置である。なお以下では、サービス提供サーバーによって提供されるＳＮＳに既に会員登録済みの者を、単に『会員』といい、当該ＳＮＳに会員登録していない者を『非会員』という。
【００２８】ユーザー端末装置２０、３０は、パーソナルコンピュータ（ＰＣ）、携帯情報端末（ＰＤＡ）又は携帯電話機３１等の情報処理装置であり、サービス提供サーバーにネットワークＮを介して接続可能である。
【００２９】ネットワークＮは、サービス提供サーバー１０とユーザー端末装２０、３０と携帯電話機３１との間で情報を送受信するための通信回線である。例えば、インターネット、Ｗｉ−Ｆｉ通信、ＬＡＮ、専用線、パケット通信網、電話回線、企業内ネットワーク、その他の通信回線、それらの組み合わせ等のいずれであってもよく、有線であるか無線であるかを問わない。
【００３０】は、本実施形態におけるサービス提供サーバー１０の構成を示すブロック図である。に示すように、サービス提供サーバー１０は、各部の動作や処理を制御するための制御手段１２（例えば、ＣＰＵ等のプロセッサ）、情報を記憶するための記憶手段１１（例えば、ＲＯＭ、ＲＡＭ等のメモリや、ハードディスク装置等の記憶装置）、ネットワークＮを介して情報を送受信するための通信インタフェースとしての通信手段１３、及びこれらを結ぶバス１４を備えている。
【００３１】なお、サービス提供サーバー１０は、単一のコンピュータより構成されるものであっても、ネットワーク上に分散した複数のコンピュータより構成されるものであってもよい。
【００３２】また、本実施形態におけるユーザー端末装置２０、３０は、市販のＰＣを利用可能であり、図示省略するが、例えば、各部の動作や処理を制御するための制御手段としてのＣＰＵ、各種情報の格納や処理の作業領域として機能するメモリやハードディスク装置等の記憶手段、キーボードやマウス等の入力手段から入力される信号を受け付ける入力インタフェース、ディスプレイ装置等の出力手段に信号を出力する出力インタフェース、ネットワークに接続され情報を送受信するための通信インタフェース、及びこれらを結ぶバスを備える。また、本実施形態における携帯電話機３１も、市販の携帯電話端末を利用可能である。
【００３３】次に、上記のように構成されるサービス提供サーバー１０における登録システム、の概要について説明する。
【００３４】図２のように新規会員登録を望む非会員は、ユーザー末端装置２０、３０や携帯電話機３１からネットワークＮを介して、新規登録申請資料『メールアドレス、ジャンル選択、データ添付（画像、文章、音声など）、審査員ジャンル選択』をサービス提供サーバーに送信する。この際、データの重複を会員情報記憶手段１１１に登録済みか否かを検索し、登録済の場合は、申請データの変更を促すページを表示するなどの手段が考えられる。
【００３５】非会員が提出したデータの重複が無かった場合は、次のステップに進み、入力した情報がサービス提供サーバー１０により、非会員が指定した審査員ジャンルの審査ページに提示されそこで第三者の評価がくだされる。第三者が下した評価はサービス提供サーバー１０で、重複投票のチェック手段１２８や、審査結果の集計がされ、結果がサービス提供サーバー１０により非会員のユーザー末端装置、審査ページ（審査員ページに結果を表示するのは非会員の任意でも良いと思われる）に送信される。一例として図６を参照。
【００３６】結果が登録可の場合は、登録の次のステップに進み『名前（ニックネーム可）、パスワード、年齢、性別、居住地、趣味、目標、スカウト希望、等の個人情報を入力（名前、年齢、スカウト希望意外の項目に関しては任意であり、登録後の修正も可能である。）』入力後、本登録の旨をサービス提供サーバー１０へ送信し、サービス提供サーバー１０の情報処理システムにより、登録完了となる。結果が登録不可の場合は、その旨が非会員へ送信され、また別の申請データでのチャレンジを促す。
【００３７】図３はサービス提供サーバーが提供する第三者の審査システムを利用した会員同士の対決の一例である。会員同士の対決内容がサービス提供サーバー１０の提供する非会員用審査ページ１５、もしくは会員用審査ページ１５に表示され、第三者がそのページで下した評価がサービス提供サーバー１０に送信され情報処理後、結果が第三者及び、当人に報告され、当人には、審査結果や、ポイント、成績などが与えられる。
審査ページの一例として図８参照。
【００３８】図４、に示す様に会員はサービス提供サーバー１０で構成される、サービス提供サーバー１０の提供するスカウトページを通してスカウト登録企業、もしくはスカウト登録個人、求人登録企業などスカウト側登録者からのスカウトを、会員の設定の範囲で受けることが出来る。その際の経緯については、サービス提供サーバーを通して行われるため、その際のデータは、サービス提供サーバー１０の記憶手段にて管理される。その際の課金については、月会費、成功報酬、一回ごとの課金、システム利用ごとの課金などの手段が考えられる。
【００３９】図５に示すように会員や登録企業は、ＳＮＳとしての機能が利用できるが、その他に、サービス提供サーバー１０による第三者の審査ページ１５を使用した評価機能を使用することが出来る。その機能を使用した、画像、文章、音声などの個人の資料の評価や、会員同士の対決や、会員の応募によるコンテストやトーナメントをインターネット上で開催することが出来る。（図７は会員がサービス提供サーバーの提供する対決や、トーナメントに参加する時の一例）また対決やコンテストなどのテーマ、タイトルは会員、もしくは非会員、もしくはスカウト側登録者が作成してサービス提供サーバー１０を通して、他会員に公開募集、申請などをして開催する機能も考えられる。その結果によりポイントを得られたり、何らかの報酬を受けることも考えられる。
【００４０】会員登録手段としては、特例として、個人情報を公に公開出来ない、もしくはしたくない非会員の登録手段として、サービス提供サーバーの提供サイトの匿名会員募集システムにより、サービス提供サーバー運営会社の審査のもと、匿名エグゼクティブ会員などの特別な登録手段も考えられる。
【００４１】なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００４２】上記実施形態では、サービス提供サーバー１０がＳＮＳを提供するものとして説明したが、ＳＮＳに限らず、サービスの利用に会員登録を要する、もしくは対決や審査、調査を必要とするサービスに適用可能である。
【実施例】
【００４３】
【産業上の利用可能性】
【００４４】本発明を利用することにより、インターネット上にあらゆる仕事、趣味、活動、才能など優れた人々のスカウトの場が出来る。インターネット上に各ジャンルの優秀な人間が集まる場が出来る（第三者の評価によって登録可となる為）。新たな芸能会のスターの発掘が可能。個人が気になるテーマについて簡単に第三者の評価を得ることが出来る、個人同士の力比べが第三者の評価により出来る。優秀な人間専用のインターネット上のコンテストが開催できるなどの利用可能性が考えられます。各種ネットゲームの決戦方法としての利用が出来る。
【符号の説明】
【００４５】１０サービス提供サーバー
２０ユーザー末端装置
３０ユーザー末端装置
３１携帯電話機
１１記憶手段
１１１会員情報記憶手段
１１２仮登録情報記憶手段
１１３評価情報記憶手段
１１４スカウト情報記憶手段
１２制御手段
１２１新規登録受付手段
１２２重複会員チェック手段
１２３確認受付手段
１２４会員登録手段
１２５サービス提供手段
１２６機能制限手段
１２７情報処理手段
１２８投票者の重複チェック手段
１２９審査結果の集計手段
１３通信手段
１４バス
１５第三者による審査システム
ネットワークＮ
【図１】
2013149227.tif 000003
【図２】
2013149227.tif 000004
【図３】
2013149227.tif 000005
【図４】
2013149227.tif 000006
【図５】
2013149227.tif 000007
【図６】
2013149227.tif 000008
【図７】
2013149227.tif 000009
【図８】
2013149227.tif 000010
【図９】
2013149227.tif 000011